(57)【要約】【課題】  黴びにくく、掃除しやすく、しかもスッキリとしたシンプルなデザインとなり、美観が向上する浴室用ドアを提供する。【解決手段】  ドア面材６と、ドア面材６の左右端側に一体化される左右のフレーム７，８で構成される浴室用ドア５において、ドア面材６の左右端側を、左右のフレーム７，８に対し、その表面部６ａから外側面６ｂに回り込ませてドア面材６とフレーム７，８とを一体化する。【選択図】        図３
2005036571.tif 000002
【特許請求の範囲】
【請求項１】
ドア面材と、該ドア面材の左右端側に一体化される左右のフレームで構成される浴室用ドアにおいて、前記ドア面材の左右端側を、前記左右のフレームに対し、その表面から外側面に回り込ませてドア面材とフレームとを一体化したことを特徴とする浴室用ドア。
【請求項２】
前記ドア面材の左右端側を、前記左右のフレームをスッポリと覆うように裏面まで回り込ませて一体化したことを特徴とする請求項１に記載の浴室用ドア。
【請求項３】
ドア面材と、該ドア面材の左右端側に一体化される左右のフレームで構成される浴室用ドアの製造方法であって、前記ドア面材を押出成形器で押出成形する際に、前記左右のフレームをドア面材に一体化させることを特徴とする浴室用ドアの製造方法。
【発明の詳細な説明】
【技術分野】
【０００１】
この発明は、浴室用ドア及びその製造方法に関するものである。
【背景技術】
【０００２】
従来、浴室用ドア５１は、図９に示すように、ドア枠５２内に開閉可能に取り付けられ、折り戸式の場合には、２枚の面材５３ａ，５３ｂが、それぞれその左右端側にＣチャンフレーム５４，５４を設けて構成されており、図１０の要部拡大断面構成図で示すように、Ｃチャンフレーム５４に対し面材５３の端部を差し込み状に連結して、連結部はゴムビード５５で固定していた。
このような構造では、ゴムビード５５に水がかかると黴びやすく、掃除もしにくいものとなり、また、このゴムビード５５の部分が露出して、見栄え上、スッキリとしないという問題点があった。
また、従来、参考文献１に開示されているように、左右のフレームの外寸法とほぼ等しい外寸法を有する半透明の表面パネルを設けた浴室用ドアが存在するが、このような浴室用ドアでは、左右端面でフレームが露出し、見栄え性が悪くなるという問題点があった。
【特許文献１】特開２００２−２８５７６３号公報
【発明の開示】
【課題を解決するための手段】
【０００３】
本発明は上記従来の問題点に鑑み案出したものであって、黴びにくく、掃除しやすく、しかもスッキリとしたデザインとなる浴室用ドアを提供せんことを目的とし、その第１の要旨は、ドア面材と、該ドア面材の左右端側に一体化される左右のフレームで構成される浴室用ドアにおいて、前記ドア面材の左右端側を、前記左右のフレームに対し、その表面から外側面に回り込ませてドア面材とフレームとを一体化したことである。
また、第２の要旨は、前記ドア面材の左右端側を、前記左右のフレームをスッポリと覆うように裏面まで回り込ませて一体化したことである。
また、浴室用ドアの製造方法は、ドア面材と、該ドア面材の左右端側に一体化される左右のフレームで構成される浴室用ドアの製造方法であって、前記ドア面材を押出成形器で押出成形する際に、前記左右のフレームをドア面材に一体化させることである。
【発明の効果】
【０００４】
本発明の浴室用ドアは、ドア面材と、該ドア面材の左右端側に一体化される左右のフレームで構成される浴室用ドアにおいて、前記ドア面材の左右端側を、前記左右のフレームに対し、その表面から外側面に回り込ませてドア面材とフレームとを一体化したことにより、浴室から見た場合に、左右のフレームの存在感が弱まり、ドア面材が一枚板のように見えて、極めてスッキリとした美観が得られ、浴室の開放感が増すものとなる。また、ドア面材の左右端側はフレームの外側面に回り込ませてあるため、フレームとドア面材の継ぎ目に水がかかることがなく、汚れにくいものとなる。
【０００５】
また、ドア面材の左右端側を、左右のフレームをスッポリと覆うように裏面まで回り込ませて一体化したことにより、フレームをドア面材で良好に保護でき、フレームが露出せず、極めてスッキリとした美観を呈する浴室用ドアとなる。
【０００６】
また、ドア面材と、ドア面材の左右端側に一体化される左右のフレームで構成される浴室用ドアの製造方法は、ドア面材を押出成形器で押出成形する際に、左右のフレームをドア面材に一体化させることとしたため、組立工数が減少し、コストを低減させて製造することができるものとなる。
【発明を実施するための最良の形態】
【０００７】
以下、本発明の実施例を図面に基づいて説明する。
図１は、浴室の概略平面構成図であり、浴槽２を備えた浴室１の洗い場３側への出入り口となるドア枠４内には、開閉可能に折り戸式の浴室用ドア５が設けられており、この折り戸式の浴室用ドア５は、右部材５ａと左部材５ｂが小口キャップ５ｃの部分で連結されて構成されている。
【０００８】
この折り戸式の浴室用ドア５の右部材５ａの部分を拡大した平面断面構成図を図２に示し、また図３では、右部材５ａの要部斜視構成図を示す。
右部材５ａは、透明または半透明の樹脂で形成されたドア面材６と、その左右端側に一体化された左フレーム７と右フレーム８で形成されており、左部材５ｂもほぼ同形状に形成されている。
【０００９】
ドア面材６は、表面部６ａの左右端が、それぞれ脱衣室１５側へ回り込んで外側面部６ｂ，６ｂを形成しており、さらに外側面部６ｂの脱衣室１５側の端部から表面部６ａと平行状に裏側へ回り込ませて裏面部６ｃが一体形成されており、さらに、この裏面部６ｃの端部から表面部６ａに向かって外側面部６ｂと平行状に内側面部６ｄが一体形成されており、この表面部６ａ，外側面部６ｂ，裏面部６ｃ，内側面部６ｄに包囲されて、右フレーム８はその外周をスッポリと覆われている。
【００１０】
また、左フレーム７も同様に、表面部６ａ，外側面部６ｂ，裏面部６ｃ，内側面部６ｄに包囲されてスッポリと覆われており、左部材５ｂと連結するために外側面部６ｂに開口Ｋが形成されている。
なお、脱衣室１５側から、コの字状断面を成すアルミニウム製の取っ手９が、ビス１０，１０を介して取り付けられ、取っ手９の左右端は、ドア面材６の左右の内側面部６ｄ，６ｄの内側に固定されている。
【００１１】
また、図３に示すように、左フレーム７及び右フレーム８の上下端には、それぞれエンドキャップ１３，１３が嵌め込み状に取り付けられ、また、エンドキャップ１３，１３間にはエンドフレーム１２が取り付けられて、浴室用ドア５が完成されるものである。
なお、このエンドフレーム１２またはドア面材６の下部部位に、スリット状または複数の孔で構成した通気口１４を設けておくことができる。
なお、右フレーム８側のドア面材の外側面部６ｂには、透明モール１１が一体化されており、この透明モール１１は柔らかい樹脂で形成され、ドア枠４に当接して、良好にドア枠４との隙間をシールできるものである。
【００１２】
本例の浴室用ドアの、例えば右部材５ａは、図４に概略図で示すような押出成形器１６で押出成形されるものである。
押出成形器１６には、ドア面材６を形成するための樹脂を流し込むホッパー１７ａと、透明モール１１用の柔らかい樹脂を流し込むための別のホッパー１７ｂが設けられており、それぞれのホッパー１７ａ，１７ｂ内に所定の樹脂材料を入れて押出成形器１６内に流し込み、樹脂を押出成形するのであるが、その押出成形時に、入口側からアルミニウム製の左フレーム７及び右フレーム８を押出成形器１６内に差し込み、押出成形器１６の出口側からドア面材６を所定形状に押し出す際に、左フレーム７，右フレーム８が図２の断面図で示すように、ドア面材６内に一体化されて、押出成形器１６から押し出されるものであり、その時に同時に透明モール１１も一体化されて成形されるものである。
【００１３】
このようにドア面材６を押出成形する際に、同時に左右のフレーム７，８、及び透明モール１１を一体化させて製造することにより、組立工数を減らしてコストを安くして製造することができるものとなる。
しかも、本例の浴室用ドア５においては、左右のフレーム７，８の表面，外側端面及び裏面がドア面材６により覆われているため、浴室側から見た場合に、左右のフレーム７，８の存在感が弱まり、ドア面材６が極めてスッキリとした状態で一枚板のように見えるため、美観が向上したものとなり、開口面積が広く見え、浴室の開放感が増すものとなる。
【００１４】
また、従来のようにゴムビード等を使用しないために、カビが生ずることもなく、掃除もしやすいものとなり、フレーム７，８がドア面材６で良好に保護されるものとなる。
また、このような構成では、図１のように、折り戸式浴室用ドア５の左部材５ｂと右部材５ａを折り重ねた時にも、その小口、即ち左フレーム７の外側端面はドア面材６の外側面部６ｂで覆われているため、左フレーム７の外側端面が露出することはなく、美観が向上するものとなる。
【００１５】
なお、図５の要部拡大平面断面構成図で示すように、フレーム７の外側端面を覆うように、ドア面材６の表面部６ａから外側面部６ｂを一体形成させ、さらに、フレーム７の内側側面に当接する内側面部６ｄを一体形成させた形状にして、開き戸式の浴室用ドアとすることもできる。
【００１６】
また図６のように、開き戸式ドアの左右のフレーム７，８の外周をスッポリと覆うように、ドア面材６をフレーム７に一体化させても良く、また図７に示すように、ドア面材６に外側面部６ｂのみを一体形成して、フレーム７の外側端面を覆うようにしても良く、何れの場合にも、ドア面材６とフレーム７の接合部は浴室側からは見えない位置となり、浴室側から見た場合にフレームの存在感は弱まり、ドア面材６が一枚板のように視認されて、美観が向上したものとなり、しかも、ドア面材６とフレーム７の接合部は浴室側には存在しないために、接合部に水がかかりにくくなり、汚れにくいものとなる。
【００１７】
なお、さらには、フレーム７，８を、図８のように、断面円形のパイプ部材とし、この断面円形の丸フレーム８ａの外端外周に回り込むように、ドア面材６に側面回り込み部６ｅを一体形成して、この側面回り込み部６ｅにより浴室側から見た場合の丸フレーム８ａの存在感を弱めて、スッキリとした美観を呈する浴室用ドアとすることができる。
【図面の簡単な説明】
【００１８】
【図１】浴室に設けた折り戸式の浴室用ドアの平面構成図である。
【図２】折り戸式の浴室用ドアの拡大平面断面構成図である。
【図３】浴室用ドアの要部を拡大して脱衣室側から見た斜視構成図である。
【図４】浴室用ドアを製造する押出成形器の概略斜視構成図である。
【図５】開き戸式浴室用ドアの端部を示す変更例の要部平面断面拡大構成図である。
【図６】フレームの全周を覆った場合の変更例の平面断面拡大構成図である。
【図７】さらに異なる変更例を示す平面断面拡大構成図である。
【図８】フレームを丸型とした場合の変更例を示す平面構成図である。
【図９】従来の折り戸式の浴室用ドアの正面構成図である。
【図１０】図９のドアの端部を示す要部平面断面拡大構成図である。
【符号の説明】
【００１９】
１  浴室
４  ドア枠
５  浴室用ドア
５ａ  右部材
５ｂ  左部材
６  ドア面材
６ａ  表面部
６ｂ  外側面部
６ｃ  裏面部
６ｄ  内側面部
６ｅ  側面回り込み部
７  左フレーム
８  右フレーム
９  取っ手
１１  透明モール
１２  エンドフレーム
１３  エンドキャップ
１６  押出成形器
１７ａ，１７ｂ  ホッパー
【図１】
2005036571.tif 000003
【図２】
2005036571.tif 000004
【図３】
2005036571.tif 000005
【図４】
2005036571.tif 000006
【図５】
2005036571.tif 000007
【図６】
2005036571.tif 000008
【図７】
2005036571.tif 000009
【図８】
2005036571.tif 000010
【図９】
2005036571.tif 000011
【図１０】
2005036571.tif 000012